(57)【要約】【課題】送信端末から受信端末に対する配信情報の物品と関連付けた配信と、受信端末の希望に応じた配信を可能とする。【解決手段】メッセージサーバ４０が、携帯電話１０ａから携帯電話１０ｂに対するメッセージに、物品に添付されるメッセージ番号を付与し、そのメッセージ番号を携帯電話１０ａに提供する。メッセージサーバ４０は、メッセージをメッセージ番号と対応付けて保持しておく。そして、メッセージサーバ４０は、物品に添付されたメッセージ番号を指定した携帯電話１０ｂからのメッセージの要求に基づいて、携帯電話１０ｂにメッセージを配信する。【選択図】図１
2006053828.tif 000002
【特許請求の範囲】
【請求項１】
送信端末から受信端末に対する配信情報に、該配信情報を識別し、物品に添付される配信情報識別データを付与し、該配信情報識別データを前記送信端末に提供する識別データ提供手段と、
前記配信情報識別データと前記配信情報とを対応付けて保持する保持手段と、
前記配信情報識別データを指定した前記受信端末からの前記配信情報の要求に基づいて、前記保持手段から前記配信情報を取得する要求処理手段と、
該要求処理手段が取得した配信情報を前記受信端末に配信する配信手段と
を備えることを特徴とする情報配信サーバ。
【請求項２】
前記保持手段は、前記配信情報識別データと前記受信端末のユーザを識別するユーザ識別データと前記配信情報とを対応付けて保持し、
前記要求処理手段は、前記配信情報識別データと前記ユーザ識別データに基づいて前記配信情報を取得することを特徴とする請求項１に記載の情報配信サーバ。
【請求項３】
前記受信端末への前記配信情報の配信完了を前記送信端末に通知する通知手段を備えることを特徴とする請求項１又は２に記載の情報配信サーバ。
【請求項４】
配信情報を情報配信サーバに送信する配信情報送信手段と、
前記配信情報を識別し、物品に添付される配信情報識別データを前記情報配信サーバから受信する識別データ受信手段と、
前記配信情報識別データを前記物品に添付する外部記録媒体に記録する記録手段と
を備えることを特徴とする端末装置。
【請求項５】
前記物品に添付された前記外部記録媒体から前記配信情報識別データを取得する取得手段と、
前記配信情報識別データを指定して前記情報配信サーバに前記配信情報を要求する要求手段と
を備えることを特徴とする請求項４に記載の端末装置。
【請求項６】
送信端末から受信端末に対する配信情報に、該配信情報を識別し、物品に添付される配信情報識別データを付与し、該配信情報識別データを前記送信端末に提供し、前記配信情報識別データと前記配信情報とを対応付けて保持し、前記受信端末からの前記配信情報識別データを指定した前記配信情報の要求に基づいて、前記配信情報を前記受信端末に配信する情報配信サーバと、
前記配信情報を前記情報配信サーバに送信し、前記情報配信サーバから前記配信情報識別データを受信し、該配信情報識別データを前記物品に添付する外部記録媒体に記録する送信端末と、
前記物品に添付された前記外部記録媒体から前記配信情報識別データを取得し、前記配信情報識別データを指定して前記情報配信サーバに前記配信情報を要求する受信端末と
を備えることを特徴とする情報配信システム。
【請求項７】
送信端末から受信端末に対する配信情報に、該配信情報を識別し、物品に添付される配信情報識別データを付与し、
該配信情報識別データを前記送信端末に提供し、
前記配信情報識別データと前記配信情報とを対応付けて保持し、
前記受信端末からの前記配信情報識別データを指定した前記配信情報の要求に基づいて、前記配信情報を前記受信端末に配信することを特徴とする情報配信方法。
【発明の詳細な説明】
【技術分野】
【０００１】
本発明は、情報配信サーバ、端末装置、情報配信システム及び情報配信方法に関する。
【背景技術】
【０００２】
携帯電話を利用した通信サービスには、通話サービス以外に、メール、留守番電話サービス、伝言サービスのようにメッセージサーバを介して送信者から受信者にメッセージを配信するサービスがある。具体的な配信方法を図７に示す。まず、送信側の携帯電話２１０ａがメッセージをメッセージサーバ２４０に送信する（Ｓ２０１）。メッセージサーバ２４０は、受信したメッセージを直ちに受信側の携帯電話２１０ｂに配信する（Ｓ２０２）。受信側の端末装置２１０ｂが受信可能な状態の場合には、携帯電話２１０ｂがメッセージを受信する。携帯電話２１０ｂが受信不可能な状態の場合には、メッセージサーバ２４０は一旦メッセージを蓄積し、所定時間後に自動的にメッセージを携帯電話２１０ｂに再送する。又、メッセージサーバ２４０は、メッセージそのものの配信に先立ち、メッセージの着信を端末装置２１０ｂに通知することもできる。
【０００３】
更に、送信側の携帯電話２１０ａは、メッセージサーバ２４０に対して、メッセージの配信時間や受信エリアを指定することもできる。この場合、メッセージサーバ２４０は、指定時間になったことや携帯電話２１０ｂが指定された受信エリアに進入したことを契機に、携帯電話２１０ｂにメッセージを送信する（例えば、特許文献１〜３参照）。
【特許文献１】特開平２００２−１３２６７２号公報
【特許文献２】特開平２００４−１４５５１１号公報
【特許文献３】特開平２００２−１４１９３０号公報
【発明の開示】
【発明が解決しようとする課題】
【０００４】
しかしながら、従来の配信方法は、送信側の希望に従ってメッセージを送信することはできるものの、受信側の希望に従ってメッセージの送信を制御することはできなかった。又、時間や位置の指定だけでは、送信側が最もメッセージを伝えたいタイミングでメッセージを送信することができない場合もあった。例えば、遠方の家族や友人に贈り物や手紙を配達する際に、贈り物が届く頃にメッセージも届けたいと送信者が希望し、時間や受信エリアを指定したとしても、贈り物が届くタイミングとメッセージの届くタイミングを一致させることは難しい。
【０００５】
そこで、本発明は、送信端末から受信端末に対する配信情報の物品と関連付けた配信と、受信端末の希望に応じた配信を可能とすることを目的とする。
【課題を解決するための手段】
【０００６】
本発明に係る情報配信サーバは、送信端末から受信端末に対する配信情報に、配信情報を識別し、物品に添付される配信情報識別データを付与し、その配信情報識別データを送信端末に提供する識別データ提供手段と、配信情報識別データと配信情報とを対応付けて保持する保持手段と、配信情報識別データを指定した受信端末からの配信情報の要求に基づいて、保持手段から配信情報を取得する要求処理手段と、要求処理手段が取得した配信情報を受信端末に配信する配信手段とを備えることを特徴とする。
【０００７】
このような情報配信サーバによれば、送信端末から受信端末に対する配信情報に、物品に添付される配信情報識別データを付与し、その配信情報識別データを送信端末に提供できる。更に、情報配信サーバは、配信情報を配信情報識別データと対応付けて保持しておくことができる。そして、情報配信サーバは、物品に添付された配信情報識別データを指定した受信端末からの配信情報の要求に基づいて、受信端末に配信情報を配信できる。そのため、情報配信サーバは、送信端末から受信端末に対する配信情報の配信を物品と関連付けることができ、受信端末の希望に応じて配信情報を配信することができる。
【０００８】
保持手段は、配信情報に加え、配信情報識別データと受信端末のユーザを識別するユーザ識別データとを対応付けて保持することが好ましい。そして、要求処理手段は、配信情報識別データとユーザ識別データに基づいて配信情報を取得することが好ましい。これによれば、情報配信サーバは、ユーザ識別データに基づいて、正当な受信端末のユーザからの要求と判断できる場合にだけ、配信情報を配信できる。そのため、例えば、受信端末のユーザ以外の者が物品を取得し、配信情報識別データを取得してしまった場合等に、受信端末以外の端末装置に配信情報が配信されてしまうことを防止できる。
【０００９】
更に、情報配信サーバは、受信端末への配信情報の配信完了を送信端末に通知する通知手段を備えることが好ましい。これによれば、情報配信サーバは配信完了を送信端末に通知できる。受信端末のユーザが物品を受け取り、物品に添付された配信情報識別データを取得しない限り、受信端末は配信情報を要求できない。そのため、この情報配信サーバからの配信完了の通知により、送信端末は配信情報の配信完了だけでなく、物品が受信端末のユーザに届いたことも確認できる。
【００１０】
本発明に係る端末装置は、配信情報を情報配信サーバに送信する配信情報送信手段と、配信情報を識別し、物品に添付される配信情報識別データを情報配信サーバから受信する識別データ受信手段と、配信情報識別データを物品に添付する外部記録媒体に記録する記録手段とを備えることを特徴とする。このような端末装置によれば、送信端末となり、受信端末に対する配信情報を情報配信サーバに送信し、その配信情報の配信情報識別データを情報配信サーバから受信できる。そして、端末装置は、受信した配信情報識別データを外部記録媒体に記録できる。そのため、端末装置のユーザは、受信端末のユーザに届けたい物品に配信情報識別データを含む外部記録媒体を添付することができる。これにより、受信端末は物品に添付された配信情報識別データを指定して情報配信サーバに配信情報を要求でき、配信情報を情報配信サーバから受信できる。そのため、送信端末から受信端末に対する配信情報の配信を物品と関連付けることができ、受信端末の希望に応じて配信情報を配信することができる。
【００１１】
更に、端末装置は、物品に添付された外部記録媒体から配信情報識別データを取得する取得手段と、配信情報識別データを指定して情報配信サーバに配信情報を要求する要求手段とを備えることが好ましい。これによれば、端末装置は、受信端末となり、物品に添付された外部記録媒体から配信情報識別データを取得し、取得した配信情報識別データを指定して配信情報を要求できる。そのため、端末装置は、物品と関連付けられた配信情報を、端末装置が希望するときに受信できる。
【００１２】
本発明に係る情報配信システムは、送信端末から受信端末に対する配信情報に、配信情報を識別し、物品に添付される配信情報識別データを付与し、配信情報識別データを送信端末に提供し、配信情報識別データと配信情報とを対応付けて保持し、受信端末からの配信情報識別データを指定した配信情報の要求に基づいて、配信情報を受信端末に配信する情報配信サーバと、配信情報を情報配信サーバに送信し、情報配信サーバから配信情報識別データを受信し、配信情報識別データを物品に添付する外部記録媒体に記録する送信端末と、物品に添付された外部記録媒体から配信情報識別データを取得し、配信情報識別データを指定して情報配信サーバに配信情報を要求する受信端末とを備えることを特徴とする。
【００１３】
本発明に係る情報配信方法は、送信端末から受信端末に対する配信情報に、配信情報を識別し、物品に添付される配信情報識別データを付与し、配信情報識別データを送信端末に提供し、配信情報識別データと配信情報とを対応付けて保持し、受信端末からの配信情報識別データを指定した配信情報の要求に基づいて、配信情報を受信端末に配信することを特徴とする。
【発明の効果】
【００１４】
以上説明したように、本発明によれば、送信端末から受信端末に対する配信情報の物品と関連付けた配信と、受信端末の希望に応じた配信が可能となる。
【発明を実施するための最良の形態】
【００１５】
（情報配信システム）
図１に示すように、情報配信システム１００は、携帯電話１０ａと、携帯電話１０ｂと、基地局２０と、移動通信ネットワーク３０と、メッセージサーバ４０とを備える。図１には、情報配信システム１００と対応付けて、物品１の流れ２００を示す。
【００１６】
携帯電話１０ａ，１０ｂは、配信情報を送受信する端末装置である。図１では、携帯電話１０ａが配信情報の送信端末となり、携帯電話１０ｂが配信情報の受信端末となっている。メッセージサーバ４０は、送信端末から受信端末に対する配信情報を受信端末に配信する情報配信サーバである。メッセージサーバ４０は、配信情報としてメッセージ３を配信する。携帯電話１０ａは、メッセージサーバ４０を介して携帯電話１０ｂに対してメッセージを送信する。携帯電話１０ｂはメッセージサーバ４０を介して携帯電話１０ａからのメッセージを受信する。メッセージ３のデータ形式は限定されず、テキストデータ、音声データ、静止画や動画等の画像データ、複数の種別のデータ形式を含むマルチメディアデータ等がある。メッセージサーバ４０と携帯電話１０ａ，１０ｂは、移動通信ネットワーク３０、基地局２０を介して通信を行う。
【００１７】
携帯電話１０ａは、携帯電話１０ｂに対するメッセージ３をメッセージサーバ４０に送信する。メッセージサーバ４０は、携帯電話１０ｂに対するメッセージを携帯電話１０ａから受信する。メッセージサーバ４０は、受信したメッセージ３に、配信情報を識別し、物品１に添付される配信情報識別データを付与する。配信情報識別データは、配信情報を識別可能であれば、即ち、メッセージサーバ４０において一意に特定可能であればよく、その形式は限定されない。配信情報識別データとしては、例えば、配信情報の番号等の数列や文字列、配信情報の格納先を示すＵＲＬ（Uniform  Resource  Locator）等の格納先データ等を用いることができる。メッセージサーバ４０は、メッセージ３に配信情報識別データとしてメッセージ番号を付与する。メッセージ番号は、例えば２バイトの数列を用いることができる。
【００１８】
メッセージサーバ４０は、付与した配信情報識別データと、受信端末のユーザを識別するユーザ識別データと、送信端末のユーザ識別データと、配信情報とを対応付けて保持しておく。ユーザ識別データは、受信端末のユーザを識別可能であれば、即ち、一意に特定可能であればよく、その形式は限定されない。ユーザ識別データとしては、例えば、電話番号、メールアドレス、ユーザＩＤ、端末番号等を用いることができる。メッセージサーバ４０は、メッセージ番号と、携帯電話１０ｂの電話番号（０９０２２２２２２２２）と、携帯電話１０ａの電話番号（０９０１１１１１１１１）と、携帯電話１０ａから携帯電話１０ｂに対するメッセージ３とを対応付けて保持する。このようにメッセージサーバ４０は、送信端末からメッセージ３を受信しても直ちには受信端末に配信しない。
【００１９】
メッセージサーバ４０は、付与した配信情報識別データを送信端末に提供する。提供する配信情報識別データのデータ形式は限定されない。例えば、メッセージサーバ４０は、配信情報識別データを図２に示すような二次元バーコードに変換して提供してもよい。メッセージサーバ４０は、メッセージ番号を二次元バーコードに変換し、携帯電話１０ａに提供する。
【００２０】
送信端末は、メッセージサーバ４０から配信情報識別データを受信する。携帯電話１０ａは、メッセージサーバ４０から図２に示すような二次元バーコードに変換されたメッセージ番号を受信する。送信端末は、配信情報識別データを物品１に添付する外部記録媒体２に記録する。外部記録媒体２は、配信情報識別データを記録可能な媒体であればよく、その形態は限定されない。外部記録媒体２としては、例えば、紙、シールシート、写真シート等の印刷媒体、ＩＣチップを含むＩＣカード、ＲＦＩＤタグ等の電子媒体等を用いることができる。携帯電話１０ａは、受信したメッセージ番号を示す二次元バーコードを外部記録媒体２に印刷する。
【００２１】
そして、携帯電話１０ａのユーザＡは、携帯電話１０ｂのユーザＢに届けたい物品１に外部記録媒体２を添付する。外部記録媒体２が添付された物品１、例えば、手紙、ハガキ、花等の贈り物等が、宅配便や郵便により携帯電話１０ｂのユーザＢに配達される。
【００２２】
受信端末は、物品１に添付された外部記録媒体２から配信情報識別データを取得し、配信情報識別データを指定して情報配信サーバに配信情報を要求する。このとき、受信端末は、自身のユーザ識別データを通知して配信情報を要求する。携帯電話１０ｂは、配達された物品１に添付されていた外部記録媒体２からメッセージ番号を取得する。携帯電話１０ｂは、取得したメッセージ番号と携帯電話１０ｂの電話番号やメールアドレス等を含むメッセージ要求をメッセージサーバ４０に送信し、メッセージ３の配信を要求する。
【００２３】
メッセージサーバ４０は、受信端末からの配信情報識別データを指定した配信情報の要求に基づいて、保持している配信情報を受信端末に配信する。メッセージサーバ４０は、メッセージ要求に含まれるメッセージ番号と携帯電話１０ｂの電話番号に合致する携帯電話１０ａからのメッセージ３を、携帯電話１０ｂに配信する。メッセージサーバ４０は、受信端末への配信情報の配信完了を送信端末に通知する。メッセージサーバ４０は、例えば、メッセージ３が携帯電話１０ｂに配信されたことを検知すると、メッセージの配信完了を通知するメッセージ配信完了メールを携帯電話１０ａに送信することができる。
【００２４】
次に、携帯電話１０ａ，１０ｂ、情報配信サーバ４０の構成について詳細に説明する。図３に示すように、携帯電話１０ａは、記録部１０１と、リーダ１０２と、メッセージ要求部１０３と、メール機能部１０４と、テレビ電話機能部１０５と、機能間制御部１０６と、ＣＰＵ１０７と、メモリ１０８と、表示部１０９と、入力部１１０とを備える。携帯電話１０ｂも同様の構成を備える。
【００２５】
メール機能部１０４は、メールを作成し、送受信する。テレビ電話機能部１０５は、音声データ及び画像データを作成し、送受信する。メール機能部１０４やテレビ電話機能部１０５は、配信情報を情報配信サーバに送信する配信情報送信手段として機能できる。具体的には、携帯電話１０ａが送信端末となる場合に、メール機能部１０４やテレビ電話機能部１０５は、受信端末に対するメッセージを作成する。そして、メール機能部１０４やテレビ電話機能部１０５は、作成したメッセージに、宛先となる受信端末の電話番号やメールアドレス等のユーザ識別データと、携帯電話１０ａ自身の電話番号やメールアドレス等のユーザ識別データとを設定してメッセージサーバ４０に送信する。
【００２６】
更に、メール機能部１０４やテレビ電話機能部１０５は、配信情報識別データを情報配信サーバから受信する識別データ受信手段として機能できる。具体的には、メール機能部１０４やテレビ電話機能部１０５は、メッセージ番号を示す二次元バーコードをメッセージサーバ４０から受信する。メール機能部１０４やテレビ電話機能部１０５は、受信したメッセージ番号をメモリ１０８に格納する。又、メール機能部１０４やテレビ電話機能部１０５は、受信端末へのメッセージの配信完了の通知をメッセージサーバ４０から受信できる。
【００２７】
記録部１０１は、配信情報識別データを物品に添付する外部記録媒体に記録する記録手段である。具体的には、メール機能部１０４やテレビ電話機能部１０５が受信したメッセージ番号は、メモリ１０８に一旦格納される。そのため、記録部１０１は、メモリ１０８からメッセージ番号を取得する。記録部１０１は、取得したメッセージ番号を示す二次元バーコードを紙、シールシート、写真シート等の印刷媒体に印刷できる。あるいは、記録部１０１は、メッセージ番号をＩＣカードやＲＦＩＤタグ等の電子媒体に格納してもよい。
【００２８】
リーダ１０２は、物品に添付された外部記録媒体から配信情報識別データを取得する取得手段である。具体的には、リーダ１０２は、物品に添付された印刷媒体に印刷された二次元バーコードを読み取り、メッセージ番号を取得できる。又、リーダ１０２は、物品に添付された電子媒体に格納されたメッセージ番号を読み取り、取得できる。リーダ１０２は、取得したメッセージ番号をメッセージ要求部１０３に入力する。
【００２９】
メッセージ要求部１０３は、配信情報識別データを指定して情報配信サーバに配信情報を要求する要求手段である。具体的には、メッセージ要求部１０３は、リーダ１０２がメッセージ番号を取得したことを契機に要求を行う。メッセージ要求部１０３は、リーダ１０２が取得したメッセージ番号と、携帯電話１０ａの電話番号やメールアドレスを含むメッセージ要求を生成する。メッセージ要求部１０３は、メール機能部１０４やテレビ電話機能部１０５を介して、生成したメッセージ要求をメッセージサーバ４０に送信し、メッセージの送信を要求する。
【００３０】
このように、メッセージ要求部１０３は、携帯電話１０ａが受信端末となる場合に、配信情報識別データと受信端末自身のユーザ識別データを示して配信情報を要求する。
【００３１】
ＣＰＵ１０７は、携帯電話１０ａを制御する。メモリ１０８は、配信情報識別データやユーザ識別データ、メッセージ等のデータを記憶する。表示部１０９は、メッセージや配信情報識別データ、ユーザ識別データ等のデータを表示する。表示部１０９により、ユーザはメッセージを閲覧できる。入力部１１０は、ユーザ入力内容を取得する。機能間制御部１０６は、各機能間のデータ伝送を行い、機能間制御を行う。
【００３２】
図４に示すように、メッセージサーバ４０は、二次元バーコード作成部４０１と、要求処理部４０２と、メール機能部４０３と、機能間制御部４０４と、テレビ電話機能部４０５と、メッセージ格納部４０６と、メッセージ管理部４０７と、メッセージ配信部４０８と、データベース４０９と、ＣＰＵ４１０と、メモリ４１１とを備える。
【００３３】
メール機能部４０３は、メールを作成し、送受信する。テレビ電話機能部４０５は、音声データ及び画像データを送受信する。メール機能部４０３やテレビ電話機能部４０５は、配信情報を送信端末から受信する配信情報受信手段として機能できる。具体的には、メール機能部４０３やテレビ電話機能部４０５は、受信端末に対するメッセージと、送信端末及び受信端末の電話番号やメールアドレス等のユーザ識別データを送信端末から受信する。メール機能部４０３やテレビ電話機能部４０５は、受信したメッセージと、送信端末及び受信端末のユーザ識別データをメッセージ管理部４０７に入力する。
【００３４】
又、メール機能部４０３は、受信端末への配信情報の配信完了を送信端末に通知する通知手段としても機能する。具体的には、メール機能部４０３は、メッセージ配信部４０８から、メッセージ番号と、送信端末及び受信端末の電話番号やメールアドレス等のユーザ識別データを指定した配信完了通知の指示を受ける。指示を受けたメール機能部４０３は、配信が完了したメッセージ番号と、その宛先である受信端末の電話番号やメールアドレスを含む送信端末宛のメッセージ配信完了メールを作成し、送信端末に送信する。
【００３５】
更に、メール機能部４０３は、配信情報の配信拒否の通知も行う。具体的には、メール機能部４０３は、要求処理部４０２から、通知を行う宛先と、配信拒否の通知の指示を受ける。指示を受けたメール機能部４０３は、メッセージの配信を拒否する配信拒否通知を含む配信拒否メールを作成し、指示された宛先に送信する。
【００３６】
メッセージ管理部４０７は、送信端末から受信端末に対する配信情報に配信情報識別データを付与し、配信情報識別データを送信端末に提供する識別データ提供手段である。具体的には、メッセージ管理部４０７は、送信端末からのメッセージ受信を契機にメッセージ番号を付与する。メッセージ管理部４０７は、受信したメッセージに、メッセージサーバ４０においてメッセージを一意に特定可能なメッセージ番号を付与する。メッセージ管理部４０７は、付与したメッセージ番号をメール機能部４０３又はテレビ電話機能部４０５を介して送信端末に送信する。
【００３７】
このとき、メッセージ管理部４０７は、付与したメッセージ番号を二次元バーコードに変換して提供してもよい。この場合、メッセージ管理部４０７は、メッセージ番号を二次元バーコード作成部４０１に入力し、二次元バーコードの作成を指示する。二次元バーコード作成部４０１は、メッセージ番号を示す二次元バーコードを作成する。二次元バーコード作成部４０１は、作成した二次元バーコードをメッセージ管理部４０７に入力する。そして、メッセージ管理部４０７は、メッセージ番号を示す二次元バーコードを、メール機能部４０３又はテレビ電話機能部４０５を介して送信端末に送信する。メッセージ管理部４０７は、付与したメッセージ番号と、メッセージと、送信端末及び受信端末のユーザ識別データをメッセージ格納部４０６に入力する。
【００３８】
データベース４０９は、配信情報識別データと配信情報とを対応付けて保持する保持手段である。データベース４０９は、配信情報に加えて、送信端末及び受信端末のユーザ識別データも配信情報識別データと対応付けて保持できる。具体的には、図５に示すように、データベース４０９は、宛先情報と、メッセージ番号と、送信元情報と、メッセージを対応付けて保持する。宛先情報は、受信端末の電話番号やアドレス等のユーザ識別データである。送信元情報は、送信端末の電話番号やアドレス等のユーザ識別データである。データベース４０９は、宛先情報毎にメッセージ番号、送信元情報、メッセージを保持する。このように、メッセージサーバ４０では、メッセージ番号と宛先情報を用いてメッセージを管理する。
【００３９】
メッセージ格納部４０６は、配信情報識別データと、配信情報と、宛先情報と、送信元情報を、保持手段に格納する格納手段である。具体的には、メッセージ格納部４０６は、メッセージ管理部４０７から取得した受信端末の電話番号やメールアドレス、メッセージ番号、送信端末の電話番号やメールアドレス、メッセージを対応付けてデータベース４０９に格納する。
【００４０】
更に、メッセージ格納部４０６は、メッセージ配信部４０８から、メッセージ番号と、送信端末及び受信端末のユーザ識別データを指定したメッセージ配信完了の通知を受ける。メッセージ格納部４０６は、通知を受けたメッセージ番号と、メッセージ番号に対応付けられているメッセージ、送信元情報を、データベース４０９から削除する。メッセージ格納部４０６は、宛先情報については、通知を受けたメッセージ番号がその宛先情報への最後のメッセージの場合にのみ削除する。
【００４１】
要求処理部４０２は、配信情報識別データを指定した受信端末からの配信情報の要求に基づいて、保持手段から配信情報を取得する要求処理手段である。要求処理部４０２は、配信情報識別データに加え、受信端末のユーザ識別データに基づいて配信情報を取得する。具体的には、要求処理部４０２は、メール機能部１０４やテレビ電話機能部１０５を介して、受信端末からのメッセージ要求を取得する。要求処理部４０２は、メッセージ要求に含まれるメッセージ番号と受信端末の電話番号やメールアドレス等のユーザ識別データに基づいて、データベース４０９を検索する。
【００４２】
要求処理部４０２は、メッセージ要求に含まれるメッセージ番号と受信端末のユーザ識別データの両者が一致するメッセージが存在する場合には、そのメッセージをデータベース４０９から取得する。要求処理部４０２は、取得したメッセージをメッセージ配信部４０８に入力し、メッセージの宛先として受信端末の電話番号やメールアドレスを指定して受信端末への配信を指示する。一方、要求処理部４０２は、メッセージ要求に含まれるメッセージ番号と受信端末のユーザ識別データの両者が一致するメッセージが存在しない場合には、メッセージを配信しないことを決定する。そして、要求処理部４０２は、メッセージ要求を送信してきた受信端末を宛先として指定した配信拒否の通知をメール機能部４０３に指示する。
【００４３】
メッセージ配信部４０８は、要求処理手段が取得した配信情報を受信端末に配信する配信手段である。具体的には、メッセージ配信部４０８は、要求処理部４０２からの指示に従って、メール機能部４０３又はテレビ電話機能部４０５を介して、指定された受信端末の電話番号やメールアドレスにメッセージを配信する。メッセージ配信部４０８は、受信端末から送達確認通知を受けることや、一定時間が経過するまでに再送要求を受信端末から受けないこと等により、メッセージが受信端末に正常に配信されたことを検知できる。
【００４４】
メッセージ配信部４０８は、配信完了を検知すると、メッセージ番号と、送信端末及び受信端末の電話番号やメールアドレス等のユーザ識別データを指定して、配信完了の通知をメール機能部４０３に指示する。更に、メッセージ配信部４０８は、メッセージ番号と、送信端末及び受信端末のユーザ識別データを指定したメッセージ配信完了の通知を、メッセージ格納部４０６に対して行う。ＣＰＵ４１０は、メッセージサーバ４０を制御する。メモリ４１１は、データを記憶する。機能間制御部４０４は、各機能間のデータ伝送を行い、機能間制御を行う。
【００４５】
（情報配信方法）
図１に示す配信情報システム１００を用いた情報配信方法の手順を図６に示す。携帯電話１０ａは、携帯電話１０ｂに対する音声データと動画像データを含むメッセージ３を、宛先として受信端末となる携帯電話１０ｂの電話番号（０９０２２２２２２２２）と、送信元として送信端末となる携帯電話１０ａ自身の電話番号（０９０１１１１１１１１）を設定してメッセージサーバ４０に送信する（Ｓ１０１）。
【００４６】
メッセージサーバ４０は、受信したメッセージ３に、メッセージサーバ４０において識別可能なメッセージ番号（０ｘ００１）を付与する（Ｓ１０２）。メッセージサーバ４０は、図５に示すように、データベース４０９に、宛先情報である携帯電話１０ｂの電話番号（０９０２２２２２２２２）と、付与したメッセージ番号（０ｘ００１）と、送信元情報である携帯電話１０ａの電話番号（０９０１１１１１１１１）とを格納する（Ｓ１０３）。
【００４７】
メッセージサーバ４０は、メッセージ番号（０ｘ００１）を示す二次元バーコードを作成する（Ｓ１０４）。メッセージサーバ４０は、作成した二次元バーコードを含むメールを携帯電話１０ａに送信する（Ｓ１０５）。携帯電話１０ａは、受信した二次元バーコードを印刷媒体等の外部記録媒体２に印刷し、記録する（Ｓ１０６）。携帯電話１０ａのユーザＡは、携帯電話１０ｂのユーザに届けたい物品１に外部記録媒体２を添付する。物品１は携帯電話１０ｂのユーザＢに配達される。
【００４８】
携帯電話１０ｂのユーザＢは、物品１を受け取る。携帯電話１０ｂは、物品１に添付された外部記録媒体２からメッセージ番号（０ｘ００１）を読み取り、取得する（Ｓ１０７）。携帯電話１０ｂは、メッセージ番号の取得を契機に、取得したメッセージ番号（０ｘ００１）と、携帯電話１０ｂ自身の電話番号を設定したメッセージ要求を作成し、メッセージサーバ４０に送信する（Ｓ１０８）。尚、ステップ（Ｓ１０７）、（Ｓ１０８）において、ユーザＢは、携帯電話１０ｂのリーダ１０２が外部記録媒体２からメッセージ番号を読み取ることができるように、リーダ１０２と外部記録媒体２を接続したり、近づけたりする操作を行うだけでよく、メッセージ番号の取得、メッセージ要求の送信は携帯電話１０ｂが自動的に行う。
【００４９】
メッセージサーバ４０は、携帯電話１０ｂからのメッセージ要求に基づいてデータベース２０９を検索する。そして、メッセージサーバ４０は、メッセージ要求に含まれるメッセージ番号（０ｘ００１）と携帯電話１０ｂの電話番号（０９０２２２２２２２２）の両者が一致するメッセージが存在するか否かを判断する（Ｓ１０９）。
【００５０】
ステップ（Ｓ１０９）において両者が一致するメッセージが存在する場合には、メッセージサーバ４０は、該当する携帯電話１０ａからのメッセージ３を携帯電話１０ｂに配信する（Ｓ１１０）。一方、ステップ（Ｓ１０９）において両者が一致するメッセージが存在しない場合には、メッセージサーバ４０は、携帯電話１０ｂに配信拒否メールを送信する（Ｓ１１１）。メッセージサーバ４０は、ステップ（Ｓ１１０）において配信したメッセージ３を携帯電話１０ｂが正常に受信できたことを検知すると、携帯電話１０ａの電話番号やメールアドレスを用いて、メッセージ配信完了メールを携帯電話１０ａに送信する（Ｓ１１２）。
【００５１】
（効果）
このような情報配信システム１００、メッセージサーバ４０、携帯電話１０ａ，１０ｂによれば、メッセージサーバ４０が、送信端末（携帯電話１０ａ）から受信端末（携帯電話１０ｂ）に対する配信情報（メッセージ）に、物品に添付される配信情報識別データ（メッセージ番号）を付与し、その配信情報識別データ（メッセージ番号）を送信端末に提供できる。更に、メッセージサーバ４０は、配信情報（メッセージ）を配信情報識別データ（メッセージ番号）と対応付けて保持しておくことができる。そして、メッセージサーバ４０は、物品に添付された配信情報識別データ（メッセージ番号）を指定した受信端末からの配信情報（メッセージ）の要求に基づいて、受信端末に配信情報（メッセージ）を配信できる。そのため、メッセージサーバ４０は、送信端末から受信端末に対する配信情報（メッセージ）の配信を物品と関連付けることができ、受信端末の希望に応じて配信情報（メッセージ）を配信することができる。
【００５２】
情報配信システム１００では、メッセージサーバ４０が送信端末から受信端末へのメッセージを受信した際に直ちに、そのメッセージを受信端末に配信することはしない。受信端末が、郵便や宅配便等の物流システムを利用して配達された物品１から取得したメッセージ番号を用いてメッセージサーバ４０にメッセージ要求を送信することにより、メッセージサーバ４０からメッセージが受信端末に配信される。
【００５３】
即ち、メッセージサーバ４０は、従来のように送信端末からのメッセージ受信を契機に、メッセージ配信を行うのではなく、メッセージ番号を送信端末に送信する。そして、送信端末のユーザが物品にメッセージ番号を添付して受信端末のユーザに届けることにより、受信端末のユーザは物品を受け取ったタイミングでメッセージ番号を利用してメッセージを受信できる。このように送信端末によるメッセージサーバ４０へのメッセージ送信と、メッセージサーバ４０による受信端末へのメッセージ配信が独立しているため、送信端末のユーザが物品に関連付けてメッセージを届けたいタイミングでメッセージを配信することができ、受信端末のユーザも物品を受け取ったタイミング、即ち、物品に関連するメッセージが効果的に伝わるタイミングでメッセージを受信できる。
【００５４】
よって、情報配信システム１００によれば、携帯電話１０ａ，１０ｂを利用したデジタルメッセージと、郵便や宅配便により配達される物品の流れとを融合したメッセージ配信サービスが可能となる。例えば、メッセージサーバ４０が保持するメッセージを引き出すためのメッセージ番号を物品に添付し、物品とあわせて受信端末のユーザに届けることができるため、はがき、年賀状、お歳暮、遠方からのおみやげ等の配達と、メッセージの配信を容易に融合できる。この情報配信システム１００は、個人間のコミュニケーションから、通信販売業者と消費者間のＢｔｏＣコミュニケーションまで幅広く適用できる。このように、情報配信システム１によれば、メッセージ配信と物流とを組み合わせることができ、サービス価値を向上できる。
【００５５】
更に、メッセージサーバ４０へのメッセージ要求の送信は受信端末により行われ、メッセージを受信するか否かの決定権は受信端末のユーザにある。受信端末のユーザは、受け取った物品やその差し出し人から、メッセージの送信者やメッセージの意図をある程度判断できる。よって、情報配信システム１００では、受信端末に受信の自由度を与えることができる。そのため、情報配信システム１００は、近年急増している一方的に配信される迷惑メール等のメッセージ配信を防止できる利点もある。
【００５６】
更に、メッセージ番号は、物品に添付されて受信端末のユーザに届くため、移動通信ネットワーク３０を介してメッセージ番号を送信する場合に比べて、セキュリティを向上させることもできる。又、携帯電話１０ａ，１０ｂが撮影した画像等を物品と共に届けたい場合等に、画像そのものを印刷したり、電子媒体に記録したりし、添付するといった煩雑な作業も不要で、利便性が高い。
【００５７】
更に、情報配信システム１００のデータベース４０９は、配信情報（メッセージ）に加え、配信情報識別データ（メッセージ番号）と受信端末のユーザ識別データ（電話番号等）とを対応付けて保持する。そして、要求処理部４０２は、配信情報識別データ（メッセージ番号）とユーザ識別データ（電話番号等）に基づいて配信情報（メッセージ）を取得する。そのため、メッセージサーバ４０は、ユーザ識別データ（電話番号等）に基づいて、正当な受信端末のユーザからの要求と判断できる場合にだけ、配信情報（メッセージ）を配信できる。即ち、メッセージ受信可能端末を制限することができる。そのため、例えば、受信端末のユーザ以外の者が物品を取得し、配信情報識別データ（メッセージ番号）を取得してしまった場合等に、受信端末以外の端末装置に配信情報（メッセージ）が配信されてしまうことを防止でき、セキュリティの高いメッセージ配信が可能となる。
【００５８】
更に、メッセージサーバ４０のメール機能部４０３は、受信端末への配信情報（メッセージ）の配信完了を送信端末に通知するメッセージ配信完了メールを送信できる。受信端末のユーザが物品を受け取り、物品に添付された配信情報識別データ（メッセージ番号）を取得しない限り、受信端末は配信情報（メッセージ）を要求できない。そのため、このメッセージサーバ４０からの配信完了の通知により、送信端末は配信情報（メッセージ）の配信完了だけでなく、物品が受信端末のユーザに届いたことも同時に確認できる。
【００５９】
携帯電話１０ａ，１０ｂは、送信端末となった場合、受信端末に対する配信情報（メッセージ）をメッセージサーバ４０に送信し、その配信情報（メッセージ）の配信情報識別データ（メッセージ番号）をメッセージサーバ４０から受信できる。そして、携帯電話１０ａ，１０ｂは、受信した配信情報識別データ（メッセージ番号）を外部記録媒体に記録できる。そのため、送信端末のユーザは、受信端末のユーザに届けたい物品に配信情報識別データ（メッセージ番号）を含む外部記録媒体を添付することができる。
【００６０】
これにより、携帯電話１０ａ，１０ｂは受信端末となった場合に、物品に添付された配信情報識別データ（メッセージ番号）を指定してメッセージサーバ４０に配信情報（メッセージ）を要求でき、配信情報（メッセージ）をメッセージサーバ４０から受信できる。そのため、送信端末から受信端末に対する配信情報（メッセージ）の配信を物品と関連付けることができ、受信端末の希望に応じて配信情報（メッセージ）を配信することができる。
【００６１】
更に、携帯電話１０ａ，１０ｂは、受信端末となった場合に、物品に添付された外部記録媒体から配信情報識別データ（メッセージ番号）を取得し、取得した配信情報識別データ（メッセージ番号）を指定して配信情報（メッセージ）を要求できる。そのため、携帯端末１０ａ，１０ｂは受信端末となった場合に、物品と関連付けられた配信情報（メッセージ）を希望するときに受信できる。
【００６２】
尚、本発明は上記実施形態に限定されるものではなく種々の変更が可能である。例えば、情報配信サーバとして、メッセージサーバ４０以外に、コンテンツを配信するコンテンツサーバ等を用いることができる。この場合、送信端末は、受信端末へのコンテンツをコンテンツサーバに送信する。そして、コンテンツサーバは、配信情報識別データとして、送信端末から受信したコンテンツの格納先を示すＵＲＬ等を付与することができる。又、送信端末や受信端末は、携帯電話に限定されず、パーソナルコンピュータ、携帯情報端末（ＰＤＡ）等を用いることができる。
【図面の簡単な説明】
【００６３】
【図１】本発明の実施形態に係る情報配信システムの構成を示すブロック図である。
【図２】本発明の実施形態に係る二次元バーコードを示す図である。
【図３】本発明の実施形態に係る携帯電話の構成を示すブロック図である。
【図４】本発明の実施形態に係るメッセージサーバの構成を示すブロック図である。
【図５】本発明の実施形態に係るデータベースを示す図である。
【図６】本発明の実施形態に係る情報配信方法の手順を示すフロー図である。
【図７】従来の配信方法の手順を示すフロー図である。
【符号の説明】
【００６４】
１０ａ，１０ｂ，２１０ａ，２１０ｂ  携帯電話  
２０  基地局
３０  移動通信ネットワーク
４０，２４０  メッセージサーバ
１０１  記録部
１０２  リーダ
１０３  メッセージ要求部
１０４，４０３  メール機能部
１０５  テレビ電話機能部
１０６，４０４  機能間制御部
１０７，４１０  ＣＰＵ
１０８，４１１  メモリ
１０９  表示部
１１０  入力部
４０１  二次元バーコード作成部
４０２  要求処理部
４０６  メッセージ格納部
４０７  メッセージ管理部
４０８  メッセージ配信部
４０９  データベース
【図１】
2006053828.tif 000003
【図２】
2006053828.tif 000004
【図３】
2006053828.tif 000005
【図４】
2006053828.tif 000006
【図５】
2006053828.tif 000007
【図６】
2006053828.tif 000008
【図７】
2006053828.tif 000009